(57)【要約】【課題】接続端子の端子接続部の変形を防止する。【解決手段】接続端子は１枚の導電金属板からプレス加工され、前方には相手側の雄型端子を受け入れる端子接続部１１が設けられている。端子接続部１１は、底板１２と、この底板１２の両側から上方へ折曲された側板１３と、側板１３から内方に折曲された天板１５とによって角筒状に形成されている。天板１５の後部には連結片１６が延設され、連結片１６の先端は細幅の掛止片１６ａとされている。また、底板１２には孔部１２ａが切欠され、この孔部１２ａを横手方向に横切るように突条部１２ｂが稍々持ち上げて形成され、連結片１６の掛止片１６ａは突条部１２ｂに下側から巻き付くように掛止されている。【選択図】        図１
2004220825.tif 000002
【特許請求の範囲】
【請求項１】
導電金属板を打抜き折曲して、底板、該底板の両側に連接した第１、第２の側板、該第１の側板に連接した天板を角筒状に屈曲して形成した端子接続部を有する接続端子において、前記天板の後方に連結片を延在し、該連結片を下方に屈曲してその先端を前記底板の一部又は前記側板の一部に連結したことを特徴とする接続端子。
【請求項２】
前記連結片は前記底板に打ち抜いて形成した切込部に連結した請求項１に記載の接続端子。
【請求項３】
前記連結片は前記第２の側板に打ち向いて形成した切込部に連結した請求項１に記載の接続端子。
【請求項４】
前記端子接続部内に可動連結片を配置した請求項１に記載の接続端子。
【発明の詳細な説明】
【０００１】
【発明の属する技術分野】
本発明は、例えば平刃状の接続端子が挿入される雌型の端子接続部を有する接続端子に関するものである。
【０００２】
【従来の技術】
従来から端子接続部の変形を規制する接続端子が知られている。例えば、図８に示すように、１枚の導電金属板からプレス成形され、その端子接続部１は底板２と、この底板２の両側が上方へ折曲された両側板３、４と、これらの両側板３、４がそれぞれ内方へ折曲されて先端同志が当接された天板５、６とから成る角筒状とされ、天板５、６同士は鳩尾状に噛み合わせがなされ、側板３、４にこれらを開拡するような力が加わっても開離しないようにされている。そして一般に、端子接続部１内には、図示しない可動接触片が内在されている。
【０００３】
【発明が解決しようとする課題】
しかしながら上述した従来例において、端子接続部１の天板５、６同士を鳩尾状に組合わせていても、端子接続部１に図示しない相手側の雄型平刃状接続端が無理に圧入されてこじり力が、特に上下方向に作用した場合には、天板５、６の鳩尾状部が開離して、端子接続部１が変形してしまうという問題点がある。
【０００４】
本発明の目的は、上述した問題点を解消し、こじり力が作用しても端子接続部が変形する虞れの少ない接続端子を提供することにある。
【０００５】
【課題を解決するための手段】
上記目的を達成するための本発明に係る接続端子は、導電金属板を打抜き折曲して、底板、該底板の両側に連接した第１、第２の側板、該第１の側板に連接した天板を角筒状に屈曲して形成した端子接続部を有する接続端子において、前記天板の後方に連結片を延在し、該連結片を下方に屈曲してその先端を前記底板の一部又は前記側板の一部に連結したことを特徴とする。
【０００６】
【発明の実施の形態】
本発明を図１〜図７に図示の実施の形態に基づいて詳細に説明する。
図１は第１の実施の形態の接続端子の要部縦断面図、図２は横断面図、図３は底面図であり、接続端子は図４に示す１枚の導電金属板からプレス加工され、前方には相手側の雄型端子を受け入れる端子接続部１１が設けられている。端子接続部１１は、底板１２と、この底板１２の両側から上方へ折曲された第１、第２の側板１３、１４と、第１の側板１３から内方に折曲された天板１５とによって角筒状に形成されている。
【０００７】
天板１５の後部には連結片１６が延設され、連結片１６の先端は細幅の掛止片１６ａとされている。また、底板１２には孔部１２ａが切欠され、この孔部１２ａを横手方向に横切るように突条部１２ｂが稍々持ち上げて形成されている。また、底板１２の一部には切込みにより稍々持ち上げられた接触部１２ｃが形成されている。連結片１６の掛止片１６ａは突条部１２ｂに下側から巻き付くように掛止されている。この掛止は端子接続部１１を角筒状に形成した後に図５に示すように連結片１６、掛止片１６ａを曲折してなされる。
【０００８】
また、第２の側板１４の側方には可動接触片１７が付設され、この可動接触片１７は端子接続部１１内において２つ折りにされ、自由端が前方に折り返されている。可動接触片１７の自由端部側の両側には翼部１７ａが設けられ、翼部１７ａは側板１３、１４に形成された係止孔１３ａ、１３ｂ内に係止されている。また、可動接触片１７の基部の反対側に延在された押さえ片１７ｂが端子接続部１１の入口を塞ぐように折り返されて、相手側接続端子に対するガイド部とされていると共に、可動接触片１７の先端部１７ｃを押さえるようにされている。
【０００９】
なお、端子接続部１１の後方には、図示しない電線を接続するための電線接続部が連設され、そこには電線の芯線を圧着するためのＵ字状に折曲された圧着片１８と、電線の被覆を圧着するＵ字状に折曲された圧着片１９が設けられている。
【００１０】
このように形成された端子接続部１１に、使用に際して相手側の雄型接続端子の平刃状接続端が挿入されると、接続端は「く」の字状に屈曲された可動接触片１７の頂点と底板１２の接触部１２ｃとの間に弾性的に挟着され、電気的導通がなされる。この過程で、相手側の接続端が無理に圧入されてこじり力が作用することがあるが、連結片１６の存在により端子接続部１１の角筒型が変形する虞れは少ない。つまり、天板１５を持ち上げるような力が作用しても、天板１５は後部において連結片１６を介して底板１２に固定されているので、天板１５が開離することもなく、端子接続部１１が変形することもない。
【００１１】
図６は第２の実施の形態の側面図、図７は展開平面図であり、図１、図４と同じ符号は同じ要素を示している。天板１５の前端及び後端にはそれぞれ、掛止片２０、２１が前方及び後方に向けて延在されている。
【００１２】
掛止片２０、２１には舌片２０ａ、２１ａが設けられており、第２の側板１４には舌片２０ａ、２１ａを嵌入する切込み１４ｂ、１４ｃが設けられ、切込み１４ｂは側板１４の比較的上部に、切込み１４ｃは下部に設けられている。
【００１３】
そして、掛止片２０、２１は下方に折り曲げられ、掛止片２０は端子接続部１１の入口部の上部を覆い、ガイド部としての役割を果たし、舌片２０ａは第２の側板１４の切込み１４ｂに嵌合されている。また、掛止片２１は端子接続部１１の後方を閉塞するように折り曲げられ、舌片２１ａは切込み１４ｃに嵌合されている。
【００１４】
このように本実施の形態においては、天板１５に設けられた掛止片２０、２１が第２の側板１４に設けた切込み１４ｂ、１４ｃに嵌合しているので、相手側の雄型端子のこじり力が上下方向に作用しても、それらが開離することがなく、端子接続部１１が変形することもない。
【００１５】
第１、第２の実施の形態においては、端子接続部１１の後方開口は連結片１６、掛止片２１により閉塞されているので、端子接続部１１内に後方からの異物の混入を防止できる。
【００１６】
【発明の効果】
以上説明したように本発明に係る接続端子は、端子接続部の天板の一部を底板や側板に連結しているので、相手側接続端子のこじり力により端子接続部の変形を防止できる。
【図面の簡単な説明】
【図１】第１の実施の形態の要部縦断面図である。
【図２】横断面図である。
【図３】底面図である。
【図４】展開平面図である。
【図５】連結片の加工説明図である。
【図６】第２の実施の形態の側面図である。
【図７】展開断面図である。
【図８】従来例の斜視図である。
【符号の説明】
１１  端子接続部
１２  底板
１３、１４  側板
１４ｂ、１４ｃ  切込み
１５  天板
１６  連結片
１７  可動接触片
２０、２１  係止片
２０ａ、２１ａ  舌片
【図１】
2004220825.tif 000003
【図２】
2004220825.tif 000004
【図３】
2004220825.tif 000005
【図４】
2004220825.tif 000006
【図５】
2004220825.tif 000007
【図６】
2004220825.tif 000008
【図７】
2004220825.tif 000009
【図８】
2004220825.tif 000010